(57)【要約】【課題】選別装置を配置換えしないで、埋立地の広大な範囲の掘削作業を行うことができる廃棄物処分場の減容化システム及び減容化方法を提供する。【解決手段】埋立地１の掘削作業範囲の移動に伴って、掘り起こされた廃棄物２ａの投入口５が移動可能な多関節型のコンベア３と、この多関節型コンベア３により搬送された廃棄物２ｂから鉄屑８等を選別除去する磁選別用油圧ショベル６と、この鉄屑８等を選別除去した廃棄物２ｂをその大きさに応じて例えば３種類の廃棄物２１Ｌ，２１Ｍ，２１Ｓに選別するスクリーン選別装置９とを有する。【選択図】図１
2005111317.tif 000002
【特許請求の範囲】
【請求項１】
埋立地の掘削作業範囲の移動に伴って、掘り起こされた廃棄物の投入口が移動可能な多関節型のコンベアと、この多関節型コンベアにより搬送された廃棄物を選別処理する選別装置とを有することを特徴とする廃棄物処分場の減容化システム。
【請求項２】
請求項１記載の廃棄物処分場の減容化システムにおいて、前記多関節型のコンベアは、その投入側が自走可能な走行体上に旋回可能に設けられていることを特徴とする廃棄物処分場の減容化システム。
【請求項３】
埋立地の掘削作業範囲の移動に伴ってその投入口が移動可能な多関節型のコンベアにより、埋立地から掘り起こした廃棄物を搬送し、この搬送した廃棄物を選別装置で選別した後、減容処理することを特徴とする廃棄物処分場の減容化方法。
【発明の詳細な説明】
【技術分野】
【０００１】
本発明は、廃棄物処分場の減容化システム及び減容化方法に関し、埋立地の広大な範囲の掘削作業を行う廃棄物処分場の減容化システム及び減容化方法に関するものである。
【背景技術】
【０００２】
近年、廃棄物の排出量の高水準での推移とこれを埋設する廃棄物処分場の設置の減少に伴って、廃棄物処分場の残余容量がひっ迫しており、廃棄物処分場の延命化が要望されている。そこで、処分場に埋め立てた廃棄物を掘り起こし、この掘り起こした廃棄物を選別し、選別された土砂のような不燃物は埋立地に埋め戻し、また選別された可燃物は焼却等により減容して埋立地に埋め戻すことで、廃棄物処分場の減容化を図る方法が提唱されている（例えば、特許文献１参照）。
【０００３】
【特許文献１】特開平９−１５０１２５号公報
【発明の開示】
【発明が解決しようとする課題】
【０００４】
しかしながら、上記従来技術には以下のような課題が存在する。
すなわち、例えば容量２００万ｍ３程度の広大な埋立地において掘削作業を行う場合、その掘削作業範囲と廃棄物を選別（減容）処理する選別（減容）装置とが離れてしまうので、掘り起こした廃棄物を例えばダンプトラックまたはコンベア等により選別（減容）装置に搬送しなければならない。ところが、ダンプトラックでは、搬送距離が長いほど移動も大変であり作業効率が低下していた。また、一般のコンベアでは、掘削作業範囲の移動に伴って選別（減容）装置も配置換えする場合が生じ、作業効率が低下していた。
【０００５】
本発明の目的は、選別装置を配置換えしないで、埋立地の広大な範囲の掘削作業を行うことができる廃棄物処分場の減容化システム及び減容化方法を提供することにある。
【課題を解決するための手段】
【０００６】
（１）上記目的を達成するために、本発明の廃棄物処分場の減容化システムは、埋立地の掘削作業範囲の移動に伴って、掘り起こされた廃棄物の投入口が移動可能な多関節型のコンベアと、この多関節型コンベアにより搬送された廃棄物を選別処理する選別装置とを有する。
【０００７】
本発明においては、埋立地の掘削作業範囲の移動に伴ってその投入口が移動可能な多関節型のコンベアを用いて、埋立地から掘り起こした廃棄物を選別装置に搬送する。このとき、多関節型コンベアは、その排出側の配置を固定しつつ、その投入口の配置を容易に変更することが可能である。したがって、多関節型コンベアの排出側に配置された選別装置を配置換えしないで、多関節型コンベアの投入口の配置を変更させながら、埋立地の広大な範囲の掘削作業を行うことができる。
【０００８】
（２）上記（１）において、好ましくは、前記多関節型のコンベアは、その投入側が自走可能な走行体上に旋回可能に設けられている。
【０００９】
（３）上記目的を達成するために、本発明の廃棄物処分場の減容化方法は、埋立地の掘削作業範囲の移動に伴ってその投入口が移動可能な多関節型のコンベアにより、埋立地から掘り起こした廃棄物を搬送し、この搬送した廃棄物を選別装置で選別した後、減容処理する。
【発明の効果】
【００１０】
本発明によれば、選別装置を配置換えしないで、埋立地の広大な範囲の掘削作業を行うことができるので、広大な埋立地での作業においても効率良く作業することができる。
【発明を実施するための最良の形態】
【００１１】
以下、本発明の一実施形態を図面を参照しつつ説明する。
【００１２】
図１は、本発明の廃棄物処分場の減容化システムの一実施形態の概略構成を表す平面図であり、図２は、図１中矢印II方向から見た多関節型コンベアの全体構造を表す側面図であり、図３は、図１中矢印III方向から見たスクリーン選別装置の全体構造を表す側面図である。
【００１３】
これら図１〜図３において、１は対象となる廃棄物処分場の埋立地であり、２ａは例えば掘削作業具を備えた掘削用油圧ショベル等（図示せず）により埋立地１から掘り起こされ集積された廃棄物であり、３はこの掘り起こされた廃棄物２ａを搬送するための多関節型のコンベアであり、４はこの多関節型コンベア３の投入口（ホッパ）５に廃棄物２ａを投入するための例えば把持作業具（グラップル）４ａを備えた投入用油圧ショベルであり、６は多関節型コンベア３の排出端（排出口）７より排出された廃棄物２ｂから、鉄屑８等を選別除去するための例えば磁力吸着機（リフティングマグネット）６ａを備えた磁選別用油圧ショベルであり、９は鉄屑８等が選別除去された廃棄物２ｂをその大きさで選別するスクリーン選別装置であり、１０は投入用油圧ショベル５同様の構造を有し、スクリーン選別装置９の投入口（ホッパ）１１に廃棄物２ｂを投入するための例えば把持作業具（グラップル）１０ａを備えた投入用油圧ショベルである。
【００１４】
多関節型コンベア３は、例えば３つの略直線状（例えば各々の搬送距離が２０ｍ〜３０ｍ程度）のベルトコンベア１２Ａ，１２Ｂ，１２Ｃが回動可能に連結されて構成されている。これらベルトコンベア１２Ａ，１２Ｂ，１２Ｃはそれら投入口５側（図２中左側）から排出端７側（図２中右側）に上向きに傾斜してそれぞれ設けられ、投入口５に投入された廃棄物２ａがベルトコンベア１２Ａ，１２Ｂ，１２Ｃの順に搬送されて排出端７から排出されるようになっている。なお、ベルトコンベア１２Ａの排出側（図２中右側）とベルトコンベア１２Ｂの受入側（図２中左側）との間、及びベルトコンベア１２Ｂの排出側とベルトコンベア１２Ｃの受入側との間には、廃棄物２ａの受け渡しを補助する部材等（図示せず）が設けられてもよい。
【００１５】
また、ベルトコンベア１２Ａ，１２Ｂ，１２Ｃの排出側には、車輪１３Ａ，１３Ｂ，１３Ｃを備えた例えば略円柱状のコンベア支持体１４Ａ，１４Ｂ，１４Ｃが設けられ、コンベア支持体１４Ａ，１４Ｂには、それぞれベルトコンベア１２Ｂ，１２Ｃの受入側が回動可能に連結されている。また、排出側のコンベア支持体１４Ｃには、車輪１３Ｃの回転をロック可能な公知のロック機構（図示せず）が設けられ、このロック機構によってコンベア支持体１４Ｃの配置、すなわち排出端７の配置を固定可能としている。
【００１６】
また、多関節型ベルトコンベア３の投入口５側は、例えば左・右の無限軌道履体１５，１５等を備えた走行体１６上に旋回装置（旋回輪）１７を介し旋回可能に設けられ、自走可能としている。そして、例えば操作者が操作可能な操作レバー（図示せず）を備えた遠隔操作装置（図示せず）からの前記操作レバーに応じた無線信号を受信し、この無線信号に応じて旋回装置１７が駆動して走行体１６が旋回したり、走行体１６が走行駆動して、多関節型コンベア３の投入口５の配置を容易に変更可能としている。
【００１７】
スクリーン選別装置９は、上記投入口１１と、この投入口１１に投入された廃棄物２ｂをその大きさに応じて例えば３種類の大きさに選別するスクリーン選別部（詳細は図示しないが、例えば複数段配設された櫛歯体の櫛歯の間隙寸法に基づき、廃棄物２ｂをその大きさで選別する構造等）１８と、このスクリーン選別部１８の下方に設けられ左・右の無限軌道履体１９，１９（但し一方の１９のみ図３に図示）を備えた走行体２０と、スクリーン選別部１８で選別された３種類の廃棄物のうち最も粒度の大きい廃棄物２１Ｌを排出するオーバーコンベア２２と、中程度の粒度の廃棄物２１Ｍを排出するミドルコンベア２３と、最も粒度の小さい廃棄物２１Ｓを排出するアンダーコンベア２４とを備えている。
【００１８】
そして、小粒度廃棄物（例えば比較的小粒度の土砂）２１Ｓは埋立地１の覆土等として利用され、中粒度廃棄物２１Ｍ及び大粒度廃棄物２１Ｌは、図示しない減容装置により減容処理される。この減容装置としては、この種のものとして公知の例えば圧縮減容する圧縮装置、加熱軟化して圧縮減容する溶融固化装置、焼却減容する焼却装置等がある。
【００１９】
次に、本実施形態による廃棄物処分場の減容化方法を説明する。
【００２０】
廃棄物処分場の延命化を目的として処分場に埋め立てた廃棄物を減容するため、まず掘削用油圧ショベル等により埋立地１から廃棄物２ａを掘り起こし集積する。この掘り起こした廃棄物２ａを投入用油圧ショベル４により多関節型コンベア３の投入口５に投入し、多関節型コンベア３により搬送する。そして、この多関節型コンベア３の排出端７より排出された廃棄物２ｂから鉄屑８等を磁選別用油圧ショベル６により選別除去し、その選別除去した廃棄物２ｂを投入用油圧ショベル１０によりスクリーン選別装置９の投入口１１に投入し、スクリーン選別装置９により大粒度廃棄物２１Ｌ、中粒度廃棄物２１Ｍ，小粒度廃棄物２１Ｓの３種類の大きさに選別する。そして、小粒度廃棄物２１Ｓは例えばそのまま埋立地１の覆土として利用し、中粒度廃棄物２１Ｍ及び大粒度廃棄物２１Ｌは減容装置（例えば圧縮装置、溶融固化装置、焼却装置等）により減容して、埋立地１に埋め戻す。
【００２１】
本実施形態においては、埋立地１の掘削作業範囲の移動に伴ってその投入口５が移動可能な多関節型コンベア３を用いて、埋立地１から掘り起こした廃棄物２ａを、埋立地１に配置された磁選別用油圧ショベル６及びスクリーン選別装置９等の近傍に搬送する。このとき、多関節型コンベア３は、その排出端７の配置を固定しつつ、旋回装置１７及び走行体１６を駆動させて投入口５の配置を容易に変更することが可能である。したがって、多関節型コンベア３の排出側に配置された磁選別用油圧ショベル６及びスクリーン選別装置９等を配置換えしないで、多関節型コンベア３の投入口５の配置を変更させながら、埋立地１の広大な範囲の掘削作業を効率よく行うことができる。
【００２２】
なお、上記一実施形態においては、多関節型コンベア３は、その投入口５側が走行体１６上に旋回装置１７を介し旋回可能に設けられた構造を例に取り説明したが、これに限られない。すなわち、例えば多関節型コンベアはその投入口５側に走行体１６に代えて車輪を備え、例えば油圧ショベル等により牽引されて投入口５が移動可能な構成としてもよい。この場合も、上記同様の効果を得ることができる。
【００２３】
また、上記一実施形態においては、多関節型コンベア３は、複数のベルトコンベア１２Ａ，１２Ｂ，１２Ｃが回動可能に連結された構成を例に取り説明したが、これに限らず、例えば複数のチェーンコンベア、スクリューコンベア、あるいは搬送方向に伸縮可能なコンベア等が回動可能に連結された構成としてもよい。この場合も上記同様の効果を得ることができる。
【００２４】
また、上記一実施形態においては、多関節型コンベア３は、埋立地１から掘り起こされた廃棄物２ａを、埋立地１内で搬送する構成を例にとって説明したが、例えば埋立地１の外側に搬送する構成としてもよいことは言うまでもない。また、多関節型コンベア３は、例えばスクリーン選別装置９で選別された廃棄物を、スクリーン選別装置９から離れた上記減容装置等に搬送するために使用してもよい。
【図面の簡単な説明】
【００２５】
【図１】本発明の廃棄物処分場の減容化システムの一実施形態の概略構成を表す平面図である。
【図２】図１中矢印II方向から見た側面図であり、本発明の廃棄物処分場の減容化システムの一実施形態を構成する多関節型コンベアの全体構造を表す。
【図３】図１中矢印III方向から見た側面図であり、本発明の廃棄物処分場の減容化システムの一実施形態を構成するスクリーン選別装置の全体構造を表す。
【符号の説明】
【００２６】
１    埋立地
２ａ，２ｂ  廃棄物
３    多関節型コンベア
５    投入口
６    磁選別用油圧ショベル（選別装置）
９    スクリーン選別装置（選別装置）
１６  走行体
【図１】
2005111317.tif 000003
【図２】
2005111317.tif 000004
【図３】
2005111317.tif 000005